(57)【要約】【課題】額縁画像などの固定データに容易に合わせ込むことが可能な撮影画像を得る。【解決手段】撮影画像を取り込むデジタルカメラ１の表示装置６において、透過型の前面表示部と、該前面表示部の背面側に重ねて設けられ可変表示される表示データが電源断で画面に残る背面表示部とで表示装置６を構成し、固定データ７を背面表示部に表示させ撮影画像８を前面表示部に表示させる。前記固定データとしては、内蔵メモリに予め格納されている各種額縁画像データあるいは撮影補助情報データのうちから選択されたデータとする。【選択図】　図１
2004064524.tif 000002
【特許請求の範囲】
【請求項１】
撮影画像を取り込むデジタルカメラの表示装置において、透過型の前面表示部と、該前面表示部の背面側に重ねて設けられ可変表示される表示データが電源断で画面に残る背面表示部と、固定データを前記背面表示部に表示させ前記撮影画像を前記前面表示部に表示させる制御手段とを備えることを特徴とするデジタルカメラの表示装置。
【請求項２】
前記背面表示部に表示する固定データは、内蔵メモリに予め格納されている各種額縁画像データあるいは撮影補助情報データのうちから選択されたデータであることを特徴とする請求項１に記載のデジタルカメラの表示装置。
【請求項３】
前記背面表示部に表示する固定データは、前記撮影画像中の動作速度が遅い画像データであって前記背面表示部の表示書き換え速度より遅い画像データであることを特徴とする請求項１に記載のデジタルカメラの表示装置。
【発明の詳細な説明】
【０００１】
【発明の属する技術分野】
本発明はデジタルスチルカメラやデジタルビデオカメラ等（以下、デジタルカメラと総称する。）の表示装置に関する。
【０００２】
【従来の技術】
静止画をプリントしてクリスマスカードや挨拶状等を作る場合、静止画像だけをプリントするのではなく、静止画像に額縁等の画像を重ね合わせてプリントする機会が増えている。斯かる画像合成が容易となるように、例えば特開平９―３１９８５８号公報記載の従来技術では、静止画像と額縁画像との重ね合わせ位置を相対的に調整可能とし、ユーザの希望する構図でのプリントができるようになっている。
【０００３】
【発明が解決しようとする課題】
しかしながら、額縁の画像は予め用意された多種類の画像の中から選択するとはいっても固定された画像であるため、撮像装置によって任意構図で撮影された撮影画像を固定画像と合成するとき、いくら合成位置を調整しても撮影画像の一部が額縁画像に隠されてしまうことが多いという問題がある。
【０００４】
本発明の目的は、他の固定画像との合成が容易な画像を撮影できるデジタルカメラの表示装置を提供することにある。
【０００５】
【課題を解決するための手段】
上記目的は、撮影画像を取り込むデジタルカメラの表示装置において、透過型の前面表示部と、該前面表示部の背面側に重ねて設けられ可変表示される表示データが電源断で画面に残る背面表示部と、固定データを前記背面表示部に表示させ前記撮影画像を前記前面表示部に表示させる制御手段とを備えることを特徴とする。この構成により、背面表示部に表示されている固定データに合った撮影画像を撮像することが容易となる。
【０００６】
好適には、前記背面表示部に表示する固定データは、内蔵メモリに予め格納されている各種額縁画像データあるいは撮影補助情報データのうちから選択されたデータであることを特徴とする。この構成により、固定データの表示に大きな電力を消費する必要がなくなり、省電力化を図ることが容易となる。
【０００７】
好適には、前記背面表示部に表示する固定データは、前記撮影画像中の動作速度が遅い画像データであって前記背面表示部の表示書き換え速度より遅い画像データであることを特徴とする。この構成によっても、固定データの表示電力を節減可能となる。
【０００８】
【発明の実施の形態】
以下、本発明の一実施形態を図面を参照して説明する。
【０００９】
図１（ａ）は、本発明の一実施形態に係るデジタルスチルカメラの外観図であり、図１（ｂ）はその背面図である。このデジタルスチルカメラ１の前面には撮影レンズ３が設けられ、上面右側にはシャッタボタン４が設けられている。デジタルスチルカメラ１の背面側には、パワースイッチ等の各種操作ボタン５と、撮影中の画像が表示されファインダ代わり使用される表示装置６とが設けられている。
【００１０】
本実施形態に係る表示装置６には、額縁画像７が固定画像として表示されている。従って、ユーザは、この表示装置６を見ながら、目的とする撮影画像（図示の例では山の画像）８が所望の構図で額縁画像７内に収まるようにしてシャッタボタン４を押せばよい。これにより、額縁画像７に整合した画像８を撮影することが可能となる。額縁画像として各種の固定画像データが内蔵ＲＯＭに格納されており、ユーザは、操作ボタン５を操作することで、希望する額縁画像を選択し、表示装置６に表示させることになる。
【００１１】
表示装置６は、図２（ａ）（ｂ）に示されるように、２枚の表示部６ａ，６ｂを重ね合わせて構成され、下側（背面側）表示部６ａに固定画像（図示の例では額縁画像）７を表示させ、上側（前面側）表示部６ｂに、撮影画像（図示の例では山の画像）８を表示させる。前面側表示部６ｂは透明ＥＬ素子等の透過型表示装置で構成し、背面側表示部６ａの表示内容が透けて見える様にしてある。
【００１２】
背面側表示部６ａとして液晶表示装置は用いない。液晶表示装置に画像データを表示させる場合、常に電源電圧を印加して表示画像をリフレッシュさせる必要があり、電力消費が大きいためである。そこで、本実施形態では、背面側表示部６ａとして、電子ペーパ技術で製造した不揮発性（電源断としても、表示データは消失せずに表示された状態で残る。）のシート状表示装置を使用する。この電子ペーパによる表示装置は、書き換え速度は数１０ｍｍ秒と遅いが、本実施形態で背面側表示部６ａに表示させる表示画像は、額縁画像の様な固定データであるため、一旦固定データを表示させた後は、電源断として省電力を図っても問題がない。尚、ここでいう「固定」とは、全く変化しないデータの他、電子ペーパの書き換え速度以下の変化速度を持つデータを含むものとする。
【００１３】
シャッタボタン４が押されて撮影された画像データすなわち表示部６ｂの表示データ（この表示データは撮像画像データの間引き画像データである。）に対応する撮影画像データは、デジタルスチルカメラ１に着脱自在に装着されている外部メモリに格納される。
【００１４】
このとき、額縁画像７が表示部６ａに表示されていた場合には、額縁画像７を示すコードデータが撮影画像データに付属して保存される。従って、撮影画像データを再生するとき、額縁画像７のない撮影画像そのままでも再生でき、また、コードデータの意味が分かる再生装置であれば額縁画像７を合成して再生でき、更に合成画像をプリントすることも可能となる。
【００１５】
以上、〔従来の技術〕の説明から、本発明を額縁画像との合成に係るものとして説明したが、これは本発明の理解を容易にするために過ぎない。本発明は、額縁画像との合成に限定されるものではなく、固定データを表示する不揮発性の表示部と、撮影画像を表示する透過型の表示部とを重ね合わせることで表示装置を構成したことを特徴とするものである。
【００１６】
本発明の実施形態に係る不揮発性の表示部６ａに表示する固定データとして、種々のものが考えられる。例えば、撮影補助情報を表示することも有効である。図３（ａ）は、撮影補助情報として、自動焦点合わせが行われる位置を示すＡＦフレーム１０を表示部６ａに表示した例である。
【００１７】
図３（ｂ）は、撮影補助情報として、撮影構図を補助する縦横３分割フレーム１１を表示部６ａに表示した例であり、図３（ｃ）は、撮影構図を補助する記念撮影フレーム１２を表示部６ａに表示した例である。また、図３（ｄ）は、あと何枚撮影可能かを示す情報１３を表示部６ａに表示した例である。
【００１８】
このように、固体データを別表示部６ａに表示することで、撮影画像を表示部６ｂに表示するとき撮影画像に固定データを合成処理する必要がなくなり、処理装置の処理負荷が軽減される。
【００１９】
図４は、デジタルスチルカメラ１の制御系構成図である。デジタルスチルカメラ１に設けられたＣＣＤ等の画像センサ１５は画像処理回路１６に接続され、撮影レンズ３を通して画像センサ１５に結像された撮影画像は、画像処理装置１６で画像処理された後、メインメモリ１７に格納される。そして、ＣＰＵ１８は、この撮影画像データをＪＰＥＧ等にデータ圧縮して外部メモリ１９に格納する。
【００２０】
また、ＣＰＵ１８は、この撮影画像データを間引き処理して前面表示部６ｂに表示させる。一方、ＣＰＵ１８は、ユーザが操作部２０を操作して選択した額縁画像等の固定データをＲＯＭ２１から読み出し、背面表示部６ａに表示させる。これにより、図１（ｂ）に示されるように、固定データ７と撮影データ８とが重ね合わされた状態で表示装置６に表示される。
【００２１】
この図４に示す例は、固定データを表示する表示部６ａの表示ソースを、表示部６ｂの表示ソースと別にしたが、同じ表示ソースを分けて２つの表示部６ａ，６ｂに分配して表示する構成とすることも可能である。例えば、デジタルスチルカメラ１で動画を撮影し、動画を表示装置６に表示する場合を考える。
【００２２】
このとき、被写体を１秒間に３０フレームで撮像するが、ＣＰＵ１８は各フレーム画像の差分をとるなどして、動かない背景画像や動きの遅い画像（表示部６ａの書き換え速度より遅い動作速度の画像）と、速い速度で動く画像とを分け、動かない画像や動きの遅い画像は表示部６ａで表示させ、動きの速い画像は表示部６ｂに表示する。これにより、表示装置６の消費電力を抑制することができる。
【００２３】
【発明の効果】
本発明によれば、動きの遅い画像データを含む固定データを不揮発性の表示部に表示し、動きの速い画像データは不揮発性の表示部に重ねて設けた透過型の表示部に表示させる構成としたため、固定データと撮影画像との合わせ込みが容易になると共に、表示装置の消費電力の低減を図ることが可能となる。
【図面の簡単な説明】
【図１】本発明の一実施形態に係る撮像装置の正面側外観図（ａ）と背面図（ｂ）である。
【図２】図１に示す表示装置の前面側表示部（ａ）と背面側表示部（ｂ）の正面図である。
【図３】背面側表示部に表示する各種の撮影補助情報を示す図である。
【図４】図１に示すデジタルスチルカメラの制御系構成図である。
【符号の説明】
１　デジタルスチルカメラ
３　撮影レンズ
４　シャッタボタン
５　操作ボタン
６　表示装置
６ａ　背面側表示部（不揮発性の表示部）
６ｂ　前面側表示部（透過型の表示部）
７　額縁画像（固定データ）
８　撮影画像
１０、１１、１２、１３　撮影補助情報
１８　ＣＰＵ
【図１】
2004064524.tif 000003
【図２】
2004064524.tif 000004
【図３】
2004064524.tif 000005
【図４】
2004064524.tif 000006